(57)【特許請求の範囲】
【請求項１】
無線受信部と、報知信号出力部と、選曲データ記憶手段と、入力手段と、選曲送信部と、制御手段と、表示手段とを備える携帯用カラオケ電子早見本であって、
前記無線受信部は、発信元からの呼出信号と、選曲データとを無線受信可能とし、
前記報知信号出力部は、音・振動・光のいずれか単独又は複数の組合せによる呼出報知信号を出力可能とし、
前記選曲データ記憶手段は、曲名と機種別の選曲識別子とを含む選曲データを記憶し、
前記入力手段は、利用者からの各種入力を受付け可能とし、
前記選曲送信部は、カラオケ装置に選曲識別子を送信可能とし、
前記制御手段は、報知処理と受信処理と選曲処理とを可能とし、
該報知処理は、前記無線受信部が呼出信号を受信した場合、前記報知信号出力部に呼出報知信号を出力させ、
該受信処理は、前記無線受信部が選曲データを受信した場合、受信した選曲データを前記選曲データ記憶手段に記憶させ、
該選曲処理は、前記入力手段から機種を指定した検索指示が入力された場合、選曲データを検索して該当する選曲データの曲名を前記表示手段に表示し、前記入力手段から選択された曲名と指定された機種に対応する選曲識別子とを前記選曲送信部に送信させる
ことを特徴とする携帯用カラオケ電子早見本。
【請求項２】
前記制御部は、演奏曲登録処理と登録選曲処理とを可能とし、
前記演奏曲登録処理は、選曲識別子の送信回数を記憶するとともに、送信回数が所定回以上となった選曲識別子を登録選曲識別子とし、
前記登録選曲処理は、前記入力手段から登録選曲が指定された場合、登録選曲識別子に対応する曲名を前記表示手段に表示し、前記入力手段から選択された曲名に対応する登録選曲識別子を前記選曲送信部に送信させる請求項１記載の携帯用カラオケ電子早見本。
【請求項３】
前記無線受信部は、呼出信号に付随する文字データを無線受信可能とし、
前記制御手段における報知処理は、呼出報知信号の出力に加え、受信した文字データを前記表示手段に表示させる請求項１または２に記載の携帯用カラオケ電子早見本。
【発明の詳細な説明】
【０００１】
【発明の属する技術分野】
この発明は、歌いたいカラオケ曲を利用者が電子的に検索するためのカラオケ電子早見本に関する。
【０００２】
【従来の技術】
従来、カラオケを楽しむ時には、カラオケ装置に添付されている曲名ガイドブック（早見本）をめくりながら歌いたい曲を選び、その曲番号等を入力すると、その曲の演奏が行われるのが普通である。しかしながら、このような曲名ガイドブック（印刷物）を手めくりしながら選曲するのは面倒であり、また、演奏レパートリーに新曲が追加されても、ガイドブックの内容が更新されていないために、新曲の曲番号が利用者にわからない場合がある。そこで、このような問題を解消するために、例えば特開平３−２７３２７９号公報や、特開平４−１７１４９８号公報に記載されているように、電子的なカラオケ曲検索手段を備えた電子早見本が提案されている。
【０００３】
【発明が解決しようとする課題】
ところで、上述のような電子早見本は、一般にはカラオケ選曲以外の目的には使用できないように構成されており、付加的な機能のバリエーションに乏しい難点がある。例えば、これらの電子早見本は、カラオケボックス等において不特定多数の利用者により使用されることが前提となっており、各利用者が自分専用の使用方法を追及するための機能等については、全く考慮されていないのが現状である。
【０００４】
本発明の課題は、カラオケ選曲という本来の機能に加え、例えば利用者が個人的に所有して持ち歩く上で好都合な付加機能を有する携帯用カラオケ電子早見本を提供することにある。
【０００５】
【課題を解決するための手段及び作用・効果】
上述の課題を解決するために、本発明の携帯用カラオケ電子早見本（以下、単に電子早見本という）は、無線受信部と、報知信号出力部と、選曲データ記憶手段と、入力手段と、選曲送信部と、制御手段と、表示手段とを備える携帯用カラオケ電子早見本であって、無線受信部は、発信元からの呼出信号と、選曲データとを無線受信可能とし、報知信号出力部は、音・振動・光のいずれか単独又は複数の組合せによる呼出報知信号を出力可能とし、選曲データ記憶手段は、曲名と機種別の選曲識別子とを含む選曲データを記憶し、入力手段は、利用者からの各種入力を受付け可能とし、選曲送信部は、カラオケ装置に選曲識別子を送信可能とし、制御手段は、報知処理と受信処理と選曲処理とを可能とし、該報知処理は、無線受信部が呼出信号を受信した場合、報知信号出力部に呼出報知信号を出力させ、該受信処理は、無線受信部が選曲データを受信した場合、受信した選曲データを選曲データ記憶手段に記憶させ、該選曲処理は、入力手段から機種を指定した検索指示が入力された場合、選曲データを検索して該当する選曲データの曲名を表示手段に表示し、入力手段から選択された曲名と指定された機種に対応する選曲識別子とを選曲送信部に送信させることを特徴とする。
【０００６】
すなわち、上記構成の早見本によれば、無線受信部が発信元からの呼出信号を無線受信し、報知信号出力部がこれに基づいて電子早見本の携帯者に対し呼出報知信号を出力する機能を備えていることから、いわゆるページャー端末（例えば、商標名：ポケットベル）としても使用できる利点があり、ひいては利用者が個人的に所有して持ち歩く場合に、ページャー端末による呼出し機能を活用できて便利である。なお、選曲送信部は、選曲データをカラオケ装置側へ無線送信するものとすることもできるが、有線により送信するものとしてもよい。
【０００７】
ここで、制御部は、演奏曲登録処理と登録選曲処理とを可能とし、演奏曲登録処理は、選曲識別子の送信回数を記憶するとともに、送信回数が所定回以上となった選曲識別子を登録選曲識別子とし、登録選曲処理は、入力手段から登録選曲が指定された場合、登録選曲識別子に対応する曲名を表示手段に表示し、入力手段から選択された曲名に対応する登録選曲識別子を選曲送信部に送信させるものとすることができる。これにより、例えば電子早見本の使用者が頻繁に選択する演奏曲が、演奏曲登録手段に自動登録されるので、以降はその登録内容に従って選曲を簡単に行うことができる。
【０００８】
ここで、無線受信部は、呼出信号に付随する文字データを無線受信可能とし、制御手段における報知処理は、呼出報知信号の出力に加え、受信した文字データを表示手段に表示させるものとすることができる。こうすれば、呼出報知機能のみでなく、メッセージ等の受信・表示も可能となるのでより便利である。この場合、その文字情報表示部を、検索のために選曲データを一覧表示する検索表示部に兼用する構成とすれば、上記機能を備えた電子早見本をよりコンパクトに構成でき、携帯に好都合である。
【０００９】
【発明の実施の形態】
以下、本発明の実施の形態について、図面に示す実施例を参照しつつ説明する。
図１（ａ）は、本発明の電子早見本の一例を示す外観図である。電子早見本１は、本体部２０と、これに設けられた選曲送信部としての赤外線発光部２２、受信アンテナ１９、登録演奏曲選択手段としての入力部２５、液晶ディスプレイ等で構成される文字情報表示部としての表示部２４が設けられている。入力部２５は、機種選択ボタン２６、番号ボタン２７、モードボタン２８、削除ボタン２９、スクロールキー３０及び確定ボタン３１等の各種操作ボタンで構成されている。なお、機種選択ボタン２６は、電子早見本１が使用可能なカラオケ装置の機種に一対一に対応して設けられている（本実施例では、Ａ〜Ｆの６機種）。
【００１０】
図２は、電子早見本１の内部構成を示しおり、Ｉ／Ｏポート１５と、これに接続されるＣＰＵ１１、ＲＡＭ１２、ＲＯＭ１３等を含む早見本制御部１０が設けられている。このＣＰＵ１１が、演奏曲検索手段及び記憶制御手段の主体をなす。Ｉ／Ｏポート１５には、送信制御部２１、表示制御部２３及び前述の入力部２５、さらにはデータ記憶部１４等が接続されている。また、送信制御部２１には前述の赤外線発光部２２が、表示制御部２３には表示部２４がそれぞれつながれる。なお、赤外線発光部２２は近赤外線発光ダイオード等で構成されており、曲番号のデータを赤外線パルスによりカラオケ装置側へ送信する役割を果たす。また、Ｉ／Ｏポート１５には、無線送信されてくる呼出信号を復調する呼出信号復調部３５、及びメッセージデータ及び選曲データ等のデータを復調するデータ復調部３６がそれぞれ接続されており、これらにさらに受信装置３７がつながれている。また、前述の受信アンテナ１９はこの受信装置３７に接続されて無線受信部を構成する。
【００１１】
さらに、Ｉ／Ｏポート１５には、報知信号出力部として、報知音発振回路３９とスピーカ４０等を含む報知音発生装置４１が接続されている。また、本体部２０に軽い振動を発生させる振動発生装置３８も同様に接続されている。なお、報知音発生装置４１及び振動発生装置３８のいずれか一方を省略してもよい。ここで、図１（ｂ）に示すように、本体部２０の側面部にはスライドスイッチ４５が設けられており、そのスライドスイッチ４５の操作位置に応じて、呼出信号を受けたときの報知信号出力の出力モードが、報知音と振動の両方（Ｓ＋Ｖ）、報知音のみ（Ｓ）、振動のみ（Ｖ）、報知信号出力せず（ＯＦＦ）の各モードのいずれかに設定されるようになっている。
【００１２】
図２に戻って、データ記憶部１４は、バックアップ電源（図示せず）付きのＲＡＭ等で構成されており、次の各記憶部が設けられている。
（１）機種別演奏曲リスト・選曲データ記憶部１４ａ（選曲データ記憶手段）：図３にその一例を示すように、選曲データとしての各演奏曲の曲名５０が、機種（Ａ〜Ｆ）毎の曲番号５１及び機種に無関係な内部曲番号５２（Ｘ）と対応付けて記憶されている。また、図示はしていないが、選曲データとして、各演奏曲に対応する歌手名を始め、リリースされた年代、歌詞のキーワード（歌い出し部分の歌詞を含む）、作曲者名、作詞者名、編曲者名等も、各々の曲に対応付けて記憶されている。
（２）登録記憶部１４ｂ：図４に示すように、登録曲の曲名６１が、カラオケ装置の機種６３、その機種に対応する曲番号６２、及び登録番号６４と対応付けて記憶されている。
（３）メッセージ記憶部１４ｃ：受信装置３７が呼出信号とともに受信するメッセージデータを記憶する。このメッセージデータに基づき、表示部２４にメッセージが表示される。
（４）選曲カウンタ１４ｄ：各演奏曲の選曲回数を、前述の内部曲番号毎に記憶する。
【００１３】
次に、ＲＯＭ１３には、下記のプログラム及びデータが格納されている。
（１）呼出報知制御プログラム１３ａ：受信装置３７が呼出信号を受信するに伴い、報知音発生装置４１及び振動発生装置３８から、音ないし振動による報知信号を出力させる呼出報知処理を司る。
（２）選曲プログラム１３ｂ：選曲データないし登録番号の入力により、曲検索及び選曲のための処理を行う。また、曲検索ないし選曲のための表示部２４における表示制御も司る。
（３）演奏曲リスト更新プログラム１３ｃ：受信装置３７が受信するカラオケ装置（後述）側からの選曲データに基づいて、機種別演奏曲リストの内容を更新する。
（４）送信方式選択プログラム１３ｄ：選択されたカラオケ装置の機種に対応する、赤外線発光部２２からのデータ送信方式を選択する。
（５）登録プログラム１３ｅ：入力部２５からの入力内容及び選曲カウンタ１４ｄの内容に基づいて、所望のあるいは選曲回数が一定以上となった演奏曲を登録番号と対応付けて登録する処理を行う。
【００１４】
図５はカラオケ装置１０１の構成を示している。そのカラオケコマンダ１０４は、入出力制御部であるカラオケ制御部１１０を備え、ここにＣＰＵ１１１、ＲＯＭ１１２、ＲＡＭ１１３等を内蔵していて、カラオケ装置１０１の全体の制御を司る。カラオケ制御部１１０には、ホストコンピュータ１０２とカラオケコマンダ１０４との間で通信を行うモデム１１５、カラオケデータ記憶部１１６、楽音合成部１１７、さらにモニタ制御部１１８及び入力部１１９が接続されている。モニタ制御部１１８には、歌詞テロップ表示用のＣＲＴ等のモニタ１０７が接続される。また、カラオケ制御部１１０には、電子早見本１側へ選曲データ等を送信するための無線送信部１２１が変調部１２３を介して、及び電子早見本１側から曲番号データを無線受信するための赤外線受信部１２２が復調部１２４を介してそれぞれ接続されている。
【００１５】
カラオケデータ記憶部１１６は、ホストコンピュータ１０２から配信される多数のカラオケ曲のデータを曲番号と対応付けて蓄積する役割を果たし、楽音データ記憶部１２４、歌詞データ記憶部１２５等を含む。楽音データ記憶部１２４は、例えば、ＭＩＤＩ（Musical Instrument Digital Interface）規格として構成され、その情報は少なくとも音階、音の強さ、音の長さ、音色等を含む楽音データを記憶する。また、歌詞データ記憶部１２５は歌詞テロップのデータを記憶する。楽音合成部１１７は、例えばシンセサイザ等で構成され、楽音データに基づいて各楽器の演奏音信号を合成する。その演奏音信号はアンプミキサ１０８に送られて増幅され、スピーカ１０６から演奏音として出力される。利用者は、その演奏音と同期してモニタ１０７に表示される歌詞テロップを見ながら、アンプミキサ１０８に接続されたマイク１０５により歌唱することとなる。
【００１６】
以下、電子早見本１の作動について、フローチャートを用いて説明する。まず、図６は、呼出報知処理の流れを示しており、P1において図５に示す呼出信号発生局８０から呼出信号８１を受信すると、P2においてメッセージデータが同時に送信されてきていないかどうかを判断する。送信されてきていれば、P3においてそのメッセージデータをメッセージデータ記憶部１４ｃ（図２）に格納する。ここで、図１のモードボタン２８を操作することにより、メッセージ表示モードと選曲モードとが切り替わるようになっており、P4においてメッセージ表示モードが選択されていると、表示部２４の画面は図１０（ａ）に示すメッセージ表示画面２４ａとなり、そこに上記メッセージデータに基づくメッセージＭが表示される（P5）。続いてP6に進み、スライドスイッチ４５（図１）により設定されたモードにより報知信号の出力を行い、以下P1に戻って同様の処理を繰り返す。なお、P3において新たなメッセージデータを受けた場合は、古いメッセージデータは自動的に消去・更新される。
【００１７】
次に、図７は、電子早見本１に対し所望の演奏曲を手動登録する処理の流れを示している。まずR1において、モードボタン２８を押すことにより、図１０（ｂ）に示す選曲モード指定画面２４ｂを呼び出し、さらに３：「曲登録」を指定することにより、登録モードとする。続いて登録番号を番号ボタン２７を用いて入力する（R2）。次に、R3において、入力された登録番号において演奏曲が登録済でない場合には、カラオケ装置の機種を機種選択ボタン２６を用いて入力し、続いて所望の演奏曲のその機種における曲番号を入力する（R4、R5）。これら入力内容は、入力部２５を操作する毎に表示部２４にその都度表示され、確定ボタン３１（図１）を押すことにより確定される。
【００１８】
機種と曲番号の入力を確定した時点で表示部２４には、登録を実行するか否かを確認するメッセージが表示され、実行する場合は確定ボタン３１を再度押すことで登録確定処理が行われる。すなわち、上記入力された機種と曲番号により曲名５０が機種別演奏曲リスト（図３）において検索され、さらにその検索された曲名が、上記機種及び曲番号と対応付けられて、図４に示すように、登録記憶部１４（図２）に格納・登録される（R7）。一方、登録をやり直す場合には、所定の入力を行うことでR4に戻り、機種と曲番号の入力をやり直す。一方、R3において、入力された登録番号において演奏曲が登録済の場合には、入力表示部２４にその登録内容が表示される。利用者はこれを見て登録の更新をするか否かを選択し（R9）、更新する場合はR4以下の処理となる。この場合、新規の登録内容が古い登録内容に上書きされる。一方、更新しない場合には、R2に戻って登録番号を入力し直す。
【００１９】
以上が手動登録処理の概要である。すなわち利用者は、電子早見本１を携帯してカラオケボックス等へ赴き、そこに設置されているカラオケ装置の演奏曲リストを参照して、演奏曲の登録を上記手順に従い実行すればよいのである。
【００２０】
続いて図８は、選曲処理の流れを示している。まずS1において、前述と同様に選曲モード指定画面２４ｂ（図１０（ｂ））を呼び出し、登録番号で選曲する場合は１：「登録選曲」を、そうでない場合は２：「個別選曲」をそれぞれ選択する。ここではまず、「個別選曲」が選択された場合から説明する。
【００２１】
すなわち、「個別選曲」が選択されるとS8に進み、カラオケ装置の機種を機種選択ボタン２６（図１）を用いて指定する。次に、S9に進み、図１の番号キー２７等により、歌手名、曲名等の検索データを入力する。そして、S10において、その入力内容に基づき、対応する機種の演奏曲リストにより関係する曲が検索され、表示部２４に図１１に示すような演奏曲リスト２４ｄが表示される。利用者はスクロールキー３０（図１）を操作することにより、カーソル２４ｅを所望の演奏曲の表示位置に合わせ、さらに確定キー３１（図１）を押すことにより選曲内容を確定させる。次にS11において、その選択された演奏曲の選曲カウンタ１４ｄ（図２）のカウント値を１増加させる。そして、そのカウント値が予め設定された値ＮTに到達すると、その演奏曲を内部曲番号５２（図３）と対応付けて、図４に示すように、登録記憶部１４に格納・登録する（S12、S13）。
【００２２】
続いて、S6において、選択された機種のデータ送信方式が選択される。すなわち、曲番号はコード化されて、パルス信号により赤外線発光部２２からカラオケ装置に向けて送信されるのであるが、カラオケ装置の機種により、そのパルス長やパルス間隔が異なっていたり、さらには機種特定のためのコード受信を前提として赤外線パルス信号の受付けを開始するなど、そのデータの送信方式が異なっている場合がある。そこで、前述の送信方式選択プログラム１３ｄ（図２）に基づき、その機種に対応するデータ送信方式が選択され、送信制御部２１に所定の指令が発せられる。送信制御部２１はこの指令を受けて赤外線発光部２２に対し、上記曲番号コードを指定された方式によりカラオケ装置に向けて無線送信させる（S7）。カラオケ装置１０１では、その曲番号コードを赤外線受信部１２２（図５）で受信し、その曲番号で指定される演奏曲の演奏を行う。
【００２３】
一方、S1で「登録選曲」が選択されると図１０（ｃ）に示す登録曲リスト２４ｃが表示され、利用者は同様にしてカーソル２４ｅを所望の演奏曲の表示位置に合わせ、さらに確定キー３１（図１）を押すことにより選曲内容を確定する。続いてS3においてカラオケ装置の機種を入力することにより、登録記憶部１４から指定された登録内容が読み出される（S4）。前述の通り、演奏曲は特定の機種の曲番号あるいは内部曲番号と対応付けて登録されているので、機種別演奏曲リスト１４ａ（図３）を参照して、その演奏曲の入力された機種における曲番号が検索される（S5）。その後S6に進み、「個別選曲」と同様の処理となる。なお、登録された演奏曲の削除は随時行うことができ、例えば登録曲リスト２４ｃにおいて、削除したい演奏曲にカーソル２４ｅを合わせ、削除キー２９を押した後、確定キー３１を押すことで、削除処理が実行されるように構成することができる。
【００２４】
最後に、新曲のカラオケデータ（以下、新曲データという）の配信の際の処理を図９のフローチャートに基づいて説明する。なお、該処理のプログラムルーチンのうちカラオケコマンダ１０４に関係する部分は、カラオケシステム全体の制御を行うプログラムとともに図５のカラオケ制御部１１０のＲＯＭ１１２に格納され、電子早見本１に関係する部分は、早見本制御部１０のＲＯＭ１３に格納されている（演奏曲リスト更新プログラム１３ｃ）。
【００２５】
すなわち、ホストコンピュータ１０２から新曲データがカラオケコマンダ１０４へ配信されると、T1で新曲データが受信され、T2においてこの新曲データをカラオケデータ記憶部１１６へ蓄積する。この蓄積が終了すると、T3を経てT4が実行され、その新曲データのうちから曲番号、曲名、歌手名等の選曲データが取り出され、例えば図５の変調部１２３で変調された後、無線送信部１２１からアンテナを介して電子早見本１へ送信される。電子早見本１は、アンテナ１９を介して受信装置３７でこの選曲データを受信する（T6、T7）。例えば、電子早見本１側で機種選択ボタン２６（図１）を用いてカラオケ装置の機種の選択を行い、その選択した機種に対応する送信方式で、データリクエスト信号をカラオケコマンダ１０４側へ送信する。カラオケコマンダ１０４側ではこれを受けて、選曲データを電子早見本１側へ送信するように構成することができる。
【００２６】
そして、T8において、電子早見本１が受ける変調された選曲データが、電子早見本１のデータ復調部３６で曲名、歌手名等の選曲データに復調され、さらにT9においてその機種別演奏曲リスト・選曲データ記憶部１４ａ（図２）に蓄積されて、機種別演奏曲リストの内容が更新される。すべてのデータの蓄積が終了すると、T10を経て、カラオケコマンダ１０４に配信された新曲に対応した選曲データの送信は終了する。
【図面の簡単な説明】
【図１】    本発明の一例としてのカラオケ電子早見本の外観を示す正面図及び側面図。
【図２】    図１のカラオケ電子早見本のブロック図。
【図３】  機種別演奏曲リストの内容の一例を示す説明図。
【図４】  登録記憶部における登録内容の一例を示す説明図。
【図５】  カラオケ装置のブロック図。
【図６】  図１のカラオケ電子早見本における呼出報知処理の流れを示すフローチャート。
【図７】  同じく選曲処理の流れを示すフローチャート。
【図８】  同じく演奏曲の登録処理の流れを示すフローチャート。
【図９】  新曲に対応する選曲データをカラオケコマンダから電子早見本へ転送する処理の流れを示すフローチャート。
【図１０】  表示部における表示内容例を示す模式図。
【図１１】  同じく別の表示内容例を示す模式図。
【符号の説明】
１  携帯用カラオケ電子早見本
１１  ＣＰＵ（演奏曲検索手段、記憶制御手段）
１４  データ記憶装置
１４ａ  機種別演奏曲リスト記憶部（選曲データ記憶手段）
１４ｂ  登録記憶部（演奏曲登録手段）
１４ｃ  選曲カウンタ（選曲回数計数手段）
２２  赤外線発光部（選曲送信手段）
２５  入力部（登録演奏曲選択手段）
３２  表示部（文字情報表示部）
３７  受信装置（無線受信部）
３８  報知音発生装置（報知信号出力部）
４１  振動発生装置（報知信号出力部）
１０１  カラオケ装置
【図１】
0003641044.tif 000002
【図２】
0003641044.tif 000003
【図３】
0003641044.tif 000004
【図４】
0003641044.tif 000005
【図５】
0003641044.tif 000006
【図６】
0003641044.tif 000007
【図７】
0003641044.tif 000008
【図８】
0003641044.tif 000009
【図９】
0003641044.tif 000010
【図１０】
0003641044.tif 000011
【図１１】
0003641044.tif 000012